(57)【特許請求の範囲】
【請求項１】
印刷ジョブに基づいて用紙に画像形成する画像形成システムであって、
用紙を排出する排出部と、
給紙部から給紙された用紙を、用紙搬送路に沿って前記排出部まで搬送する用紙搬送部と、
前記用紙搬送路を搬送された用紙に、調整値に応じた処理を行う処理部と、
ユーザーから前記調整値の設定変更の指示を受け付ける指示受付部と、
前記指示受付部が受け付けた前記設定変更の指示に応じて、前記処理部の調整値を変更し、該処理部に前記設定変更を反映した前記処理を実行させる制御部と、を備え、
前記制御部は、印刷ジョブに基づいて、前記用紙搬送路に複数の用紙を連続して搬送し、搬送した用紙に対して前記処理を実行する連続出力動作中に、前記指示受付部が前記設定変更の指示を受け付けた場合、前記設定変更を反映した用紙を前記排出部に排出するタイミングをユーザーに通知し、
前記タイミングとして、前記設定変更が反映された用紙が前記排出部に排出されるまでの搬送時間、または該用紙が前記排出部に排出されるまでの枚数をユーザーに通知する、画像形成システム。
【請求項２】
前記指示受付部が前記設定変更の指示を受け付けた場合に、
前記用紙搬送部は、連続して搬送する用紙間の間隔を変更せずに、継続して前記用紙搬送路に用紙を搬送し、
前記処理部は、連続して搬送する用紙間に前記調整値の変更を行う、請求項１に記載の画像形成システム。
【請求項３】
前記設定変更に要する所要時間が、連続して搬送する用紙間の時間よりも長い場合、
前記処理部は、前記設定変更を複数段階に分けて実行し、
前記制御部は、前記設定変更の一部が反映された用紙、および前記設定変更の全部が反映された最初の用紙の少なくとも一方の用紙を、前記排出部に排出するタイミングをユーザーに通知する、請求項２に記載の画像形成システム。
【請求項４】
印刷ジョブに基づいて用紙に画像形成する画像形成システムであって、
用紙を排出する排出部と、
給紙部から給紙された用紙を、用紙搬送路に沿って前記排出部まで搬送する用紙搬送部と、
前記用紙搬送路を搬送された用紙に、調整値に応じた処理を行う処理部と、
ユーザーから前記調整値の設定変更の指示を受け付ける指示受付部と、
前記指示受付部が受け付けた前記設定変更の指示に応じて、前記処理部の調整値を変更し、該処理部に前記設定変更を反映した前記処理を実行させる制御部と、を備え、
前記制御部は、印刷ジョブに基づいて、前記用紙搬送路に複数の用紙を連続して搬送し、搬送した用紙に対して前記処理を実行する連続出力動作中に、前記指示受付部が前記設定変更の指示を受け付けた場合、前記設定変更を反映した用紙を前記排出部に排出するタイミングをユーザーに通知し、
前記指示受付部が前記設定変更の指示を受け付けた場合に、
前記用紙搬送部は、連続して搬送する用紙間の間隔を変更せずに、継続して前記用紙搬送路に用紙を搬送し、前記処理部は、連続して搬送する用紙間に前記調整値の変更を行い、
前記設定変更に要する所要時間が、連続して搬送する用紙間の時間よりも長い場合、
前記処理部は、前記設定変更を複数段階に分けて実行し、かつ、前記制御部は、前記設定変更の一部が反映された用紙、および前記設定変更の全部が反映された最初の用紙の少なくとも一方の用紙を、前記排出部に排出するタイミングをユーザーに通知する、画像形成システム。
【請求項５】
前記処理部は、印刷ジョブの特定の印刷条件に関連付けて、印刷条件毎に異なる調整値を設定可能であり、
前記制御部は、特定の印刷条件に対する前記設定変更の指示を受け付けた場合、前記特定の印刷条件で出力する用紙に対して前記設定変更を反映した前記処理を実行させるとともに、該設定変更を反映した用紙を前記排出部に排出するタイミングをユーザーに通知する、請求項１〜請求項４のいずれか１つに記載の画像形成システム。
【請求項６】
前記制御部は、前記特定の印刷条件が設定されている用紙が、印刷待ちの印刷ジョブに含まれていない場合、または所定期間以降に前記排出部に排出される場合、
実行中の印刷ジョブに対して、前記設定変更が反映された前記特定の印刷条件のサンプル用紙を割り込ませ、該サンプル用紙を排出するタイミングをユーザーに通知する、請求項５に記載の画像形成システム。
【請求項７】
前記制御部は、前記特定の印刷条件が設定されている用紙が、所定期間以降に前記排出部に排出される場合、
実行中の印刷ジョブに対する、前記特定の印刷条件に一致する印刷ジョブの割り込み出力を行い、該割り込み出力した前記設定変更が反映された用紙を前記排出部に排出するタイミングをユーザーに通知する、請求項５に記載の画像形成システム。
【請求項８】
表示部を備え、
ユーザーへの前記通知を、前記表示部の表示により行う、請求項１〜請求項７のいずれか１つに記載の画像形成システム。
【請求項９】
音声出力部を備え、
ユーザーへの前記通知を、前記音声出力部からの音声により行う、請求項１〜請求項８のいずれか１つに記載の画像形成システム。
【請求項１０】
前記処理部は、画像形成された用紙に後処理を行う後処理部である、請求項１〜請求項９のいずれか１つに記載の画像形成システム。
【請求項１１】
前記処理部は、搬送された用紙に画像形成処理する画像形成処理部である、請求項１〜請求項１０のいずれか１つに記載の画像形成システム。
【請求項１２】
印刷ジョブに基づいて用紙に画像形成する画像形成システムであって、用紙を排出する排出部と、給紙部から給紙された用紙を、用紙搬送路に沿って前記排出部まで搬送する用紙搬送部と、前記用紙搬送路を搬送された用紙に、調整値に応じた処理を行う処理部と、ユーザーから前記調整値の設定変更の指示を受け付ける指示受付部と、を備える画像形成システムに印刷制御を実行させるためのプログラムであって、
印刷ジョブに基づいて、前記用紙搬送路に複数の用紙を連続して搬送し、搬送した用紙に対して前記処理を実行する連続出力動作を行うステップ（ａ）と、
前記ステップ（ａ）を実行中に、前記指示受付部が前記設定変更の指示を受け付けるステップ（ｂ）と、
前記ステップ（ｂ）の前記設定変更の指示に応じて、前記処理部の調整値を変更するステップ（ｃ）と、
搬送した用紙に対して前記設定変更を反映した前記処理を実行するステップ（ｄ）と、
前記設定変更を反映した用紙を前記排出部に排出するタイミングをユーザーに通知するステップ（ｅ）と、を含み、
前記ステップ（ｅ）では、前記タイミングとして、前記設定変更が反映された用紙が前記排出部に排出されるまでの搬送時間、または該用紙が前記排出部に排出されるまでの枚数を、ユーザーに通知する、
印刷制御を前記画像形成システムに実行させるためのプログラム。
【請求項１３】
前記ステップ（ａ）では、前記ステップ（ｂ）で前記設定変更の指示を受け付けた後も連続して搬送する用紙間の間隔を変更せずに、継続して前記用紙搬送路に用紙を搬送し、
前記ステップ（ｃ）では、前記処理部は、連続して搬送する用紙間に前記調整値の変更を行う、請求項１２に記載のプログラム。
【請求項１４】
印刷ジョブに基づいて用紙に画像形成する画像形成システムであって、用紙を排出する排出部と、給紙部から給紙された用紙を、用紙搬送路に沿って前記排出部まで搬送する用紙搬送部と、前記用紙搬送路を搬送された用紙に、調整値に応じた処理を行う処理部と、ユーザーから前記調整値の設定変更の指示を受け付ける指示受付部と、を備える画像形成システムに印刷制御を実行させるためのプログラムであって、
印刷ジョブに基づいて、前記用紙搬送路に複数の用紙を連続して搬送し、搬送した用紙に対して前記処理を実行する連続出力動作を行うステップ（ａ）と、
前記ステップ（ａ）を実行中に、前記指示受付部が前記設定変更の指示を受け付けるステップ（ｂ）と、
前記ステップ（ｂ）の前記設定変更の指示に応じて、前記処理部の調整値を変更するステップ（ｃ）と、
搬送した用紙に対して前記設定変更を反映した前記処理を実行するステップ（ｄ）と、
前記設定変更を反映した用紙を前記排出部に排出するタイミングをユーザーに通知するステップ（ｅ）と、を含み、
前記ステップ（ａ）では、前記ステップ（ｂ）で前記設定変更の指示を受け付けた後も連続して搬送する用紙間の間隔を変更せずに、継続して前記用紙搬送路に用紙を搬送し、
前記ステップ（ｃ）では、前記処理部は、連続して搬送する用紙間に前記調整値の変更を行い、
前記ステップ（ｃ）で前記設定変更に要する所要時間が、連続して搬送する用紙間の時間よりも長い場合、前記設定変更を複数段階に分けて実行し、および
前記ステップ（ｅ）では、前記設定変更の一部が反映された用紙、および前記設定変更の全部が反映された最初の用紙の少なくとも一方の用紙を、前記排出部に排出するタイミングをユーザーに通知する、印刷制御を前記画像形成システムに実行させるためのプログラム。
【発明の詳細な説明】
【技術分野】
【０００１】
本発明は、画像形成システムおよびプログラムに関する。
【背景技術】
【０００２】
印刷ジョブに基づいて用紙に画像を形成し、画像を形成した用紙に対して、折り処理、パンチ処理、スタック処理などの各種の後処理を行う画像形成システムがある。
【０００３】
このような画像形成システムでは、画像品質や、後処理の仕上がり精度を保つために、各部の動作の調整値を設定する技術がある。
【０００４】
また、電子写真方式で画像を形成する場合には、定着装置により用紙を加熱し、その表面に形成されたトナーを定着する。この定着時の加熱により用紙の水分が表裏で不均一に蒸発するために用紙が湾曲するというカール現象が生じる。
【０００５】
引用文献１では、画像形成後の用紙のカールを矯正するデカール手段と、このデカール手段の設定を行う操作表示部とを有する画像形成システムが開示されている。この画像形成システムでは、ユーザーがデカール方向を容易に設定できるように、操作画面にデカール手段により修正されるデカール方向を選択するボタンと、排紙トレイ上でのデカール方向を示すデカール画像とを同一の選択画面上に表示している。
【先行技術文献】
【特許文献】
【０００６】
【特許文献１】特開２０１０−７０２８０号公報
【発明の概要】
【発明が解決しようとする課題】
【０００７】
このような、デカール手段等の後処理部等の処理部の調整値の設定変更を、複数の用紙に連続的に画像形成する連続出力動作中に、装置を停止せずに行いたい場合がある（以下「リアルタイム調整」という）。例えば、排紙トレイ上のカールが品質不良とならない程度ではあるが、軽微なレベルで発生しているときに設定変更を行ってデカール手段の矯正強度を調整する場合である。
【０００８】
また、ユーザーは、調整値の設定変更が適正であったかを直ぐに確認したい。しかしながら、連続出力動作中に処理部の設定変更を行った場合、排紙トレイに連続して用紙が排出されるため、ユーザーはどの用紙から設定変更が反映されたかを把握することが難しい。
【０００９】
本発明は、上記事情に鑑みてなされたものであり、連続出力動作中に処理部の設定変更を行った場合に、設定変更が反映された用紙を容易に確認できる画像形成システムを提供することを目的とする。
【課題を解決するための手段】
【００１０】
本発明の上記目的は、下記の手段によって達成される。
【００１１】
（１）印刷ジョブに基づいて用紙に画像形成する画像形成システムであって、
用紙を排出する排出部と、
給紙部から給紙された用紙を、用紙搬送路に沿って前記排出部まで搬送する用紙搬送部と、
前記用紙搬送路を搬送された用紙に、調整値に応じた処理を行う処理部と、
ユーザーから前記調整値の設定変更の指示を受け付ける指示受付部と、
前記指示受付部が受け付けた前記設定変更の指示に応じて、前記処理部の調整値を変更し、該処理部に前記設定変更を反映した前記処理を実行させる制御部と、を備え、
前記制御部は、印刷ジョブに基づいて、前記用紙搬送路に複数の用紙を連続して搬送し、搬送した用紙に対して前記処理を実行する連続出力動作中に、前記指示受付部が前記設定変更の指示を受け付けた場合、前記設定変更を反映した用紙を前記排出部に排出するタイミングをユーザーに通知し、
前記タイミングとして、前記設定変更が反映された用紙が前記排出部に排出されるまでの搬送時間、または該用紙が前記排出部に排出されるまでの枚数をユーザーに通知する、画像形成システム。
【００１３】
（２）前記指示受付部が前記設定変更の指示を受け付けた場合に、
前記用紙搬送部は、連続して搬送する用紙間の間隔を変更せずに、継続して前記用紙搬送路に用紙を搬送し、
前記処理部は、連続して搬送する用紙間に前記調整値の変更を行う、上記（１）に記載の画像形成システム。
【００１４】
（３）前記設定変更に要する所要時間が、連続して搬送する用紙間の時間よりも長い場合、
前記処理部は、前記設定変更を複数段階に分けて実行し、
前記制御部は、前記設定変更の一部が反映された用紙、および前記設定変更の全部が反映された最初の用紙の少なくとも一方の用紙を、前記排出部に排出するタイミングをユーザーに通知する、上記（２）に記載の画像形成システム。
（４）印刷ジョブに基づいて用紙に画像形成する画像形成システムであって、
用紙を排出する排出部と、
給紙部から給紙された用紙を、用紙搬送路に沿って前記排出部まで搬送する用紙搬送部と、
前記用紙搬送路を搬送された用紙に、調整値に応じた処理を行う処理部と、
ユーザーから前記調整値の設定変更の指示を受け付ける指示受付部と、
前記指示受付部が受け付けた前記設定変更の指示に応じて、前記処理部の調整値を変更し、該処理部に前記設定変更を反映した前記処理を実行させる制御部と、を備え、
前記制御部は、印刷ジョブに基づいて、前記用紙搬送路に複数の用紙を連続して搬送し、搬送した用紙に対して前記処理を実行する連続出力動作中に、前記指示受付部が前記設定変更の指示を受け付けた場合、前記設定変更を反映した用紙を前記排出部に排出するタイミングをユーザーに通知し、
前記指示受付部が前記設定変更の指示を受け付けた場合に、
前記用紙搬送部は、連続して搬送する用紙間の間隔を変更せずに、継続して前記用紙搬送路に用紙を搬送し、前記処理部は、連続して搬送する用紙間に前記調整値の変更を行い、
前記設定変更に要する所要時間が、連続して搬送する用紙間の時間よりも長い場合、
前記処理部は、前記設定変更を複数段階に分けて実行し、かつ、前記制御部は、前記設定変更の一部が反映された用紙、および前記設定変更の全部が反映された最初の用紙の少なくとも一方の用紙を、前記排出部に排出するタイミングをユーザーに通知する、画像形成システム。
【００１７】
（５）前記処理部は、印刷ジョブの特定の印刷条件に関連付けて、印刷条件毎に異なる調整値を設定可能であり、
前記制御部は、特定の印刷条件に対する前記設定変更の指示を受け付けた場合、前記特定の印刷条件で出力する用紙に対して前記設定変更を反映した前記処理を実行させるとともに、該設定変更を反映した用紙を前記排出部に排出するタイミングをユーザーに通知する、上記（１）〜上記（４）のいずれか１つに記載の画像形成システム。
【００１８】
（６）前記制御部は、前記特定の印刷条件が設定されている用紙が、印刷待ちの印刷ジョブに含まれていない場合、または所定期間以降に前記排出部に排出される場合、
実行中の印刷ジョブに対して、前記設定変更が反映された前記特定の印刷条件のサンプル用紙を割り込ませ、該サンプル用紙を排出するタイミングをユーザーに通知する、上記（５）に記載の画像形成システム。
（７）前記制御部は、前記特定の印刷条件が設定されている用紙が、所定期間以降に前記排出部に排出される場合、
実行中の印刷ジョブに対する、前記特定の印刷条件に一致する印刷ジョブの割り込み出力を行い、該割り込み出力した前記設定変更が反映された用紙を前記排出部に排出するタイミングをユーザーに通知する、上記（５）に記載の画像形成システム。
【００１９】
（８）表示部を備え、
ユーザーへの前記通知を、前記表示部の表示により行う、上記（１）〜上記（７）のいずれか１つに記載の画像形成システム。
【００２０】
（９）音声出力部を備え、
ユーザーへの前記通知を、前記音声出力部からの音声により行う、上記（１）〜上記（８）のいずれか１つに記載の画像形成システム。
【００２１】
（１０）前記処理部は、画像形成された用紙に後処理を行う後処理部である、上記（１）〜上記（９）のいずれか１つに記載の画像形成システム。
【００２２】
（１１）前記処理部は、搬送された用紙に画像形成処理する画像形成処理部である、上記（１）〜上記（１０）のいずれか１つに記載の画像形成システム。
【００２３】
（１２）印刷ジョブに基づいて用紙に画像形成する画像形成システムであって、用紙を排出する排出部と、給紙部から給紙された用紙を、用紙搬送路に沿って前記排出部まで搬送する用紙搬送部と、前記用紙搬送路を搬送された用紙に、調整値に応じた処理を行う処理部と、ユーザーから前記調整値の設定変更の指示を受け付ける指示受付部と、を備える画像形成システムに印刷制御を実行させるためのプログラムであって、
印刷ジョブに基づいて、前記用紙搬送路に複数の用紙を連続して搬送し、搬送した用紙に対して前記処理を実行する連続出力動作を行うステップ（ａ）と、
前記ステップ（ａ）を実行中に、前記指示受付部が前記設定変更の指示を受け付けるステップ（ｂ）と、
前記ステップ（ｂ）の前記設定変更の指示に応じて、前記処理部の調整値を変更するステップ（ｃ）と、
搬送した用紙に対して前記設定変更を反映した前記処理を実行するステップ（ｄ）と、
前記設定変更を反映した用紙を前記排出部に排出するタイミングをユーザーに通知するステップ（ｅ）と、を含み、
前記ステップ（ｅ）では、前記タイミングとして、前記設定変更が反映された用紙が前記排出部に排出されるまでの搬送時間、または該用紙が前記排出部に排出されるまでの枚数を、ユーザーに通知する、
印刷制御を前記画像形成システムに実行させるためのプログラム。
【００２５】
（１３）前記ステップ（ａ）では、前記ステップ（ｂ）で前記設定変更の指示を受け付けた後も連続して搬送する用紙間の間隔を変更せずに、継続して前記用紙搬送路に用紙を搬送し、
前記ステップ（ｃ）では、前記処理部は、連続して搬送する用紙間に前記調整値の変更を行う、上記（１２）に記載のプログラム。
（１４）印刷ジョブに基づいて用紙に画像形成する画像形成システムであって、用紙を排出する排出部と、給紙部から給紙された用紙を、用紙搬送路に沿って前記排出部まで搬送する用紙搬送部と、前記用紙搬送路を搬送された用紙に、調整値に応じた処理を行う処理部と、ユーザーから前記調整値の設定変更の指示を受け付ける指示受付部と、を備える画像形成システムに印刷制御を実行させるためのプログラムであって、
印刷ジョブに基づいて、前記用紙搬送路に複数の用紙を連続して搬送し、搬送した用紙に対して前記処理を実行する連続出力動作を行うステップ（ａ）と、
前記ステップ（ａ）を実行中に、前記指示受付部が前記設定変更の指示を受け付けるステップ（ｂ）と、
前記ステップ（ｂ）の前記設定変更の指示に応じて、前記処理部の調整値を変更するステップ（ｃ）と、
搬送した用紙に対して前記設定変更を反映した前記処理を実行するステップ（ｄ）と、
前記設定変更を反映した用紙を前記排出部に排出するタイミングをユーザーに通知するステップ（ｅ）と、を含み、
前記ステップ（ａ）では、前記ステップ（ｂ）で前記設定変更の指示を受け付けた後も連続して搬送する用紙間の間隔を変更せずに、継続して前記用紙搬送路に用紙を搬送し、
前記ステップ（ｃ）では、前記処理部は、連続して搬送する用紙間に前記調整値の変更を行い、
前記ステップ（ｃ）で前記設定変更に要する所要時間が、連続して搬送する用紙間の時間よりも長い場合、前記設定変更を複数段階に分けて実行し、および
前記ステップ（ｅ）では、前記設定変更の一部が反映された用紙、および前記設定変更の全部が反映された最初の用紙の少なくとも一方の用紙を、前記排出部に排出するタイミングをユーザーに通知する、印刷制御を前記画像形成システムに実行させるためのプログラム。
【発明の効果】
【００２６】
本発明では、連続出力動作中に、指示受付部が処理部の設定変更の指示を受け付けた場合、設定変更を反映した用紙を排出部に排出するタイミングをユーザーに通知する。このようにすることで、ユーザーは、リアルタイム調整の設定変更が反映された用紙がいつ排出部に排出されるかを容易に知ることが可能となり、リアルタイム調整を効率的に行うことができる。
【図面の簡単な説明】
【００２７】
【図１】本発明の一実施形態に係る画像形成システムの概略構成を示す図である。
【図２】画像形成システムのハードウェア構成を示すブロック図である。
【図３】第１の実施形態に係る印刷制御を示すフローチャートである。
【図４】リアルタイム調整用の操作画面の例である。
【図５】用紙搬送路における用紙の搬送位置を示す図である。
【図６】通知対象の調整紙の排出タイミングを説明するための模式図である。
【図７】操作画面に表示した通知例を示す図である。
【図８】第２の実施形態における設定変更を複数段階に分けて実行する場合の調整値の変更推移を説明するための模式図である。
【図９Ａ】第２の実施形態に係る印刷制御を示すフローチャートである。
【図９Ｂ】ステップＳ２１０のサブルーチンを示す図である。
【図１０】操作画面に表示した通知例を示す図である。
【図１１】第３の実施形態に係るリアルタイム調整用の操作画面の例である。
【図１２】第３の実施形態に係る印刷制御を示すフローチャートである。
【図１３】第４の実施形態における通知対象の調整紙の排出タイミングを説明するための模式図である。
【図１４】第４の実施形態に係る印刷制御を示すフローチャートである。
【図１５】割り込み出力を説明するための模式図である。
【図１６】中折り処理における中折り位置の調整を説明するための図である。
【発明を実施するための形態】
【００２８】
以下、添付した図面を参照して、本発明の実施形態を説明する。なお、図面の説明において同一の要素には同一の符号を付し、重複する説明を省略する。また、図面の寸法比率は、説明の都合上誇張されており、実際の比率とは異なる場合がある。
【００２９】
図１は、本発明の一実施形態に係る画像形成システムの概略構成を示す図である。図２は、画像形成システムのハードウェア構成を示すブロック図である。
【００３０】
図１および図２に示すように、画像形成システム１０は、画像形成装置１００、第１の後処理装置２００、および第２の後処理装置３００を備える。画像形成装置１００で画像形成された用紙Ｓは、印刷ジョブの印刷条件に応じて第１、第２の後処理装置２００、３００で各種の後処理が施され、排紙トレイ３５１上に排出される。また端末装置５０は、スマートフォンやタブレット端末等の携帯、可搬型の装置であり、認証されたユーザーは、端末装置５０に表示した操作画面１６１を通じて、無線通信によるリモートモードでの遠隔操作が可能である。以下、各構成について説明する。
【００３１】
（画像形成装置１００）
図２に示すように、画像形成装置１００は、制御部１１０、記憶部１２０、用紙搬送部１３０、画像形成部１４０、給紙部１５０、操作表示部１６０および通信部１７０を備えており、これらは信号をやり取りするためのバス等の信号線を介して相互に接続されている。
【００３２】
制御部１１０は、ＣＰＵであり、プログラムにしたがって上記各部の制御や各種の演算処理を行う。
【００３３】
記憶部１２０は、予め各種プログラムや各種データを格納しておくＲＯＭ、作業領域として一時的にプログラムやデータを記憶するＲＡＭ、各種プログラムや各種データを格納するハードディスク等からなる。
【００３４】
用紙搬送部１３０は、用紙搬送路１３１、１３２、これらの用紙搬送路１３１、１３２に沿って配置された複数の搬送ローラー対、およびこれらの搬送ローラー対を駆動する駆動モータ（図示せず）を備える。給紙部１５０から１枚ずつ給紙された用紙は、用紙搬送路１３１に沿って画像形成部１４０に搬送される。両面に画像を形成する場合には、画像形成部１４０で画像形成された用紙は、用紙搬送路１３２に沿って搬送され、表裏を反転された後、再び用紙搬送路１３１を経由して画像形成部１４０に搬送され画像形成される。
【００３５】
画像形成部１４０は、現像装置、定着装置等を備え、帯電、露光、現像、転写、および定着の各工程を含む電子写真式プロセス等の周知の作像プロセスを用いて、印刷ジョブの印刷データに基づく画像を用紙Ｓ上に形成する画像形成処理を行う。この画像形成部１４０は、画像形成処理部、すなわち処理部として機能する。また画像形成部１４０は、インクまたはトナーの画像濃度、および用紙への画像形成位置等を調整値の設定に応じて変更する。画像濃度の調整としては例えば、設定に応じて露光のレーザー光量を変更できる。また画像形成位置の変更としては、例えば、露光開始位置（先端タイミング、左右位置）を変更できる。
【００３６】
給紙部１５０は、複数の給紙トレイ１５１、１５２を備える。給紙トレイに収納された用紙Ｓを、１枚ずつ給紙し、下流側の用紙搬送路１３１に給紙する。
【００３７】
操作表示部１６０はタッチパネル、テンキー、スタートボタン、ストップボタン等を備えており、各種情報の表示および各種指示の入力に使用される。また操作表示部１６０は「指示受付部」として機能し、後述するように表示した操作画面１６１を介してユーザーからの処理部（後処理部または画像形成部処理部）の調整値の設定変更の指示を受け付ける。また操作表示部１６０から、各給紙トレイ１５１、１５２に収納されている用紙Ｓの種類（厚紙、特殊紙等）の設定を受け付ける。受け付けた用紙種類の設定は、各給紙トレイと関連付けて記憶部１２０に記憶される。
【００３８】
通信部１７０は、他の機器と有線および無線通信するためのインターフェースである。通信部１７０は、有線のケーブルを介して第１、第２の後処理装置２００、３００との間で、各種設定値や動作タイミング制御に必要な各種情報の送受信を行う。また、Ｗｉ−Ｆｉ、Ｂｌｕｅｔｏｏｔｈ（登録商標）等の規格を用いた無線通信が可能であり、携帯型の端末装置５０との間で無線通信を行う。
【００３９】
またリモートパネルモード時には、画像形成装置１００の制御部１１０は、操作画面１６１の画像データを端末装置５０に送信する。この送信する操作画面１６１の内容は、画像形成装置１００の操作表示部１６０に表示する操作画面と原則として共通する。ユーザーは端末装置５０に表示した操作画面１６１を通じて操作指示をすることで、画像形成システム１０の各種機能の調整値の設定変更や操作をすることができる。リモートパネルモード時には、通信部１７０（および制御部１１０）がユーザーからの調整値の設定変更の指示を受け付ける「指示受付部」として機能する。
【００４０】
この調整値の設定変更は、用紙搬送路１３１等に複数の用紙Ｓを連続して搬送し、搬送した用紙に対して処理を実行する連続出力動作中においても画像形成システムの動作を停止することなく実行できる。以下、連続出力動作中に、画像形成システムの動作を停止することなく実行する処理部への調整値の設定変更を特に「リアルタイム調整」という。ここで、用紙に対する処理には、用紙上にトナー、インク等により画像を形成する画像形成処理、およびこの画像形成処理した用紙に対して行う後処理が含まれる。そしてこの処理を行う処理部には、画像形成処理部、および後処理部が含まれる。なお「画像形成システムの動作を停止することなく」とは、用紙搬送部１３０（後述する後処理装置の用紙搬送部２３０、３３０も含む）の駆動モーターを完全に停止することなく、画像形成処理および後処理を継続することである。これには、主に２つの状態が含まれる。１つ目の状態は、連続して搬送する用紙間の間隔を変更せずに、継続して給紙部１５０による用紙の給紙を実行し、画像形成処理および後処理を継続することである。２つ目の状態は、画像形成処理および後処理を即時に復帰できる状態で中断することである。このときは用紙の給紙を一旦停止する。この２つ目の状態では、中断中も画像形成部１４０の現像、定着の各工程の装置は回転し続ける。また、２つ目の状態では好ましくは、用紙の給紙を一旦停止し、装置内にある搬送中の用紙を全て排出した後、直ぐに用紙の給紙を再開する。
【００４１】
（第１の後処理装置２００）
第１の後処理装置２００は、制御部２１０、記憶部２２０、用紙搬送部２３０、カール矯正部２４０、および通信部２７０を備えており、これらはバス等の信号線を介して相互に接続されている。第１の後処理装置２００では、後処理としてカール矯正部２４０によりカール矯正を行う。なお、制御部２１０、記憶部２２０、用紙搬送部２３０、および通信部２７０は、画像形成装置１００の制御部１１０、記憶部１２０、用紙搬送部１３０、および通信部１７０と同様の機能を有するので、説明の重複を避けるためその説明の全部または一部を省略する。
【００４２】
制御部２１０は、プログラムに従って上記各構成要素の制御や各種の演算処理等を行う。制御部２１０は、画像形成装置１００の制御部１１０からの指示に基づいて、用紙搬送部２３０、カール矯正部２４０を制御して用紙の搬送、後処理の各制御を行う。
【００４３】
用紙搬送部２３０は、用紙搬送路２３１〜２３４、これらの用紙搬送路２３１〜２３４に沿って配置された複数の搬送ローラー対、およびこれらの搬送ローラー対を駆動する駆動モータ（図示せず）を備える。画像形成装置１００の用紙搬送路１３１に沿って搬送された用紙Ｓは、用紙搬送路２３１〜２３３に沿って搬送され、下流側の第２の後処理装置３００に搬送される。このとき、用紙搬送路２３２に配置されたカール矯正部２４０によりカール矯正が行われる。また、カール矯正を行わない場合には、用紙Ｓはバイパスの用紙搬送路２３４を経由して後処理装置３００に搬送される。
【００４４】
カール矯正部２４０は、３つのローラーと、３つの内の２つに巻回れた搬送ベルト２４１で構成される。２つのローラーで回転支持される搬送ベルト２４１の表面外側から、３つ目のローラー２４２が当接することで湾曲した搬送経路が形成される。ローラー２４２は上下方向に可動する。ローラー２４２が上方に移動することで、ローラー２４２は搬送ベルト２４１により食い込む。これにより搬送経路はより湾曲し、カール矯正強度は高くなる。反対にローラー２４２を下方に移動することで、カール矯正強度は低くなる。制御部２１０は、カール矯正の調整値の設定に応じてローラー２４２の位置を変更する。このカール矯正部２４０は、後処理部、すなわち処理部として機能する。
【００４５】
（第２の後処理装置３００）
第２の後処理装置３００は、制御部３１０、記憶部３２０、用紙搬送部３３０、中折り部３４０、排出部３５０、音声出力部３６０および通信部３７０を備えており、これらはバス等の信号線を介して相互に接続されている。なお、制御部３１０、記憶部３２０、用紙搬送部３３０、および通信部３７０は、画像形成装置１００の制御部１１０、記憶部１２０、用紙搬送部１３０、および通信部１７０と同様の機能を有するので、説明の重複を避けるためその説明の全部または一部を省略する。
【００４６】
制御部３１０は、プログラムに従って上記各構成要素の制御や各種の演算処理等を行う。制御部３１０は、画像形成装置１００の制御部１１０からの指示に基づいて、用紙搬送部３３０、中折り部３４０および排出部３５０を制御して用紙の搬送、折り処理、排出の各制御を行う。
【００４７】
用紙搬送部３３０は、用紙搬送路３３１〜３３３、これらの用紙搬送路３３１〜３３３に沿って配置された複数の搬送ローラー対、およびこれらの搬送ローラー対を駆動する駆動モータ（図示せず）を備える。上流側の各装置の用紙搬送路１３１、２３１〜２３３に沿って搬送された用紙Ｓは、用紙搬送路３３１、３３３に沿って搬送され、排出部３５０の排紙トレイ３５１上に排出される。中折り部３４０で中折り処理する場合には、用紙搬送路３３１から下流側に分岐される。
【００４８】
中折り部３４０は、用紙スタック部３４１、折ブレード３４２、ステイプル部３４３を備える。用紙スタック部３４１に載置された複数の用紙は、ステイプル部３４３により用紙Ｓの搬送方向の中央部に中綴じされた後、可動する折ブレード３４２により中央部が先頭となるように押し出される。押し出された用紙束は、下流側の用紙搬送路３３３から排出部３５０に向けて搬送される。中折り部３４０の用紙スタック部３４１に載置された複数の用紙Ｓは、用紙スタック部３４１に先端（鉛直下方側）が突き当たって停止する。この用紙スタック部３４１に載置された用紙束の表面に向けて、垂直方向から突き出される折ブレード３４２の軌跡との交点が中折り位置になる。用紙スタック部３４１は用紙サイズに応じて、前述の交点が用紙中央位置になるように上下動する。また、用紙スタック部３４１の上下方向の停止位置を微調整することで、中折り位置の調整が可能である。また、中折り部３４０は、後処理部、すなわち処理部としても機能する。
【００４９】
排出部３５０は、上下（図１の矢印方向）に可動する排紙トレイ３５１を備える。排出部３５０は画像形成された用紙を排出して排紙トレイ３５１上に載置する。
【００５０】
音声出力部３６０は、スピーカーを備え記憶部１２０に記憶されている音声データを再生する。音声出力部３６０はユーザーへの通知に用いられる。
【００５１】
以下、各実施形態に係る印刷制御について説明する。以下においては、カール矯正部２４０に対してリアルタイム調整を行う例について説明する。
【００５２】
（第１の実施形態に係る印刷制御）
次に図３〜図７を参照し、第１の実施形態に係る印刷制御を説明する。図３は、画像形成システム１０が実行する第１の実施形態に係る印刷制御を示すフローチャートである。図４は、リアルタイム調整用の操作画面１６１の例である。図５は、リアルタイム調整を受け付けた時点での用紙搬送路における用紙の搬送位置を示す図である。図６は、通知対象の調整紙の排出タイミングを説明するための模式図である。図７は、操作画面１６１に表示した通知例を示す図である。
【００５３】
以下に示す実施形態においては、リアルタイム調整の対象を、カール矯正部２４０のカール矯正強度の調整値として説明する。また同図の印刷制御は、制御部１１０が主体となって、他の制御部２１０、３１０と協働することで実行するものとして説明する。
【００５４】
図３に示すように、制御部１１０は、最初に画像形成システム１０にネットワークで接続する端末（パーソナルコンピューター）、操作表示部１６０、または端末装置５０を通じてユーザーから印刷ジョブの実行指示を受け付けることで、印刷ジョブに応じた連続出力動作を開始する（Ｓ１０１）。
【００５５】
次に、連続出力動作を実行中に、実行中の後処理としてカール矯正強度の調整値の設定変更の指示、つまりリアルタイム調整を受け付けたか否かを判断する（Ｓ１０２）。
【００５６】
このリアルタイム調整の受け付けは図４に示す操作画面１６１を通じて行う。この操作画面１６１は、操作表示部１６０または端末装置５０に表示される。図４に示す操作画面１６１の領域ａ１には、カール矯正に関する各種のアイコンを表示している。領域ａ１１内には、カール矯正の調整値「＋３」が表示されており、この調整値は、ボタンｂ１により増減できる。また、ボタンｂ２により対象となる用紙のトレイを選択することができる。図４に示す例ではトレイ１（給紙トレイ１５１）が選択されている状態を示している。ユーザーは、ボタンｂ３（「矯正量反映」）を押すことで、調整値を確定できる。
【００５７】
制御部１１０は、ユーザーによってボタンｂ３が押されたことにより、リアルタイム調整を受け付け（Ｓ１０２：ＹＥＳ）、この受け付けた調整値に応じて、カール矯正部２４０のカール矯正強度を変更する（Ｓ１１０）。制御部１１０は、リアルタイム調整を受けた後も、それまでの用紙間の間隔を変更せず連続して、給紙部１５０、用紙搬送部１３０による給紙、搬送を実行させる。調整値の変更は、連続して搬送される用紙の間（紙間）に行う。例えば用紙の搬送速度が５００ｍｍ／ｓｅｃで紙間が１００ｍｍであればその紙間の時間０．２ｓｅｃに、変更量に応じたカール矯正部２４０のローラー２４２の位置変更を行う。
【００５８】
次に後処理装置２００は、画像形成装置１００から搬送された用紙Ｓを受け取り（Ｓ１１１）、設定変更を反映した後処理を実行する（Ｓ１１２）。具体的には、カール矯正部２４０により設定変更後のカール矯正強度（「＋３」）でカール矯正を行う。
【００５９】
図３において、破線Ｓ１２で囲む処理は、通知に関する処理である。以下、図５、６を参照しながら説明する。
【００６０】
ステップＳ１２１では、未排出の先行用紙があるか否かを判断する。図５は、ユーザーによってボタンｂ３が押され、リアルタイム調整を受け付けた時点での用紙の搬送位置を示す図である。図５に示す例では、給紙トレイ１５１から排紙トレイ３５１に至る用紙搬送路には、順に搬送された用紙Ｓ１〜Ｓ７まで７枚の用紙が位置している。図６は、図５における用紙Ｓの状態を模式的に示したものであり、同図の右側は用紙搬送路の上流側を示し、符号１５０、２４０、３５０はそれぞれ給紙部１５０、カール矯正部２４０、排出部３５０の用紙搬送路上の位置を示している。同図に示すように用紙Ｓ１〜Ｓ３は、リアルタイム調整を受け付けた時点で既に、カール矯正部２４０を通過しており、変更前の「＋０」のカール矯正強度で処理されている。用紙Ｓ４以降は、リアルタイム調整が反映された変更後の「＋３」のカール矯正強度で処理される予定である。また用紙Ｓ８以降は給紙トレイ１５１に収納されており、用紙搬送路には搬送される前の状態である。なお、以下においては理解を容易にするため、リアルタイム調整を受け付けた時点でカール矯正部２４０の直上流にあった用紙Ｓ４がカール矯正部２４０に搬入されるときまでに、紙間で行う調整値の変更が間に合うものとして説明する。実際には、この直上流の用紙で調整値の変更が間に合うか否かを判断し、間に合わなければ、その次の紙間（図５の例では用紙Ｓ４、Ｓ５の間）で調整値の変更を行うようにしてもよい。
【００６１】
図３の説明に戻る。図５、６に示す例では、カール矯正部２４０の下流側の用紙搬送路には、未排出の先行用紙として用紙Ｓ１〜Ｓ３がある（Ｓ１２１：ＹＥＳ）、よって先行用紙数ｍ＋１枚目を「調整紙（設定変更が反映された用紙）」に決定する（Ｓ１２２）。図５に示す例では、先行用紙数ｍ＝３であるから、調整紙を４枚目（用紙Ｓ４）に決定する。図６において符号「Ｔ１」の丸は、通知の対象となる調整紙を示している。
【００６２】
一方で、未排出の先行用紙がなければ（Ｓ１２１：ＮＯ）、調整紙を１枚目に決定する（Ｓ１２３）。例えば連続出力動作が開始された直後であり、リアルタイム調整を受け付けた時点で、カール矯正部２４０の下流側に用紙がない場合である。
【００６３】
そして、ステップＳ１２２またはＳ１２３で決定した調整値の排出タイミングをユーザーに通知して、終了する（Ｓ１２４、エンド）。
【００６４】
図７は、操作画面１６１に表示した通知例を示す図である。操作画面１６１の領域ａ２には、調整紙（用紙Ｓ４）が排出されるタイミングとして、ユーザーがリアルタイム調整の変更指示（ボタンｂ３の押し下げ）を行ってから、その設定変更が反映された調整紙が排出されるまでの枚数（「４枚後」）を表示する。この枚数は、未排出の先行用紙数ｍから算出できる。また、この表示は、枚数に代えて排出されるまでの時間を表示するようにしてもよい。また図７に示した例では、領域ａ２に表示している情報は、ユーザーがリアルタイム調整の変更指示を行った時点での情報であり、時間の経過とともに、適宜更新してもよい。例えば、時間の経過とともに枚数または時間をカウントダウンする。さらに、設定変更が反映された最初の用紙（図６の用紙Ｓ４）を通知の対象となる調整紙としたが、これに限られず２枚目以降（用紙Ｓ５以降）を通知の対象としてもよい。例えば、カウントダウンがゼロになった後は、操作画面１６１で「調整紙を排出中」の表示を行う。
【００６５】
このように、第１の実施形態においては、連続出力動作中に、指示受付部が後処理部の設定変更の指示を受け付けた場合、設定変更を反映した後処理を実行した用紙を排出部に排出するタイミングをユーザーに通知する。このようにすることで、ユーザーは、リアルタイム調整の設定変更が反映された用紙がいつ排出部に排出されるかを容易に知ることが可能となる。ユーザーは設定変更が適切か否かを直ぐに判断でき、更なる微調整を行う場合には、繰り返して設定変更を行えるのでリアルタイム調整を効率的に行うことができる。
【００６６】
（第２の実施形態に係る印刷制御）
次に図８〜１１を参照し、第２の実施形態に係る印刷制御を説明する。第１の実施形態では、１つの紙間（図６の例では用紙Ｓ３、Ｓ４の間）にリアルタイム調整の調整値の変更が間に合う例を説明した。しかしながらリアルタイム調整の調整値の変更幅が大きい場合、または対象となる後処理の種類によっては、調整値の変更に要する所要時間が、１つの紙間の時間に収まらない場合がある。以下に説明する第２の実施形態では、このような状況を考慮する。
【００６７】
図８は、第２の実施形態における設定変更を複数段階に分けて実行する場合の調整値の変更推移を説明するための模式図である。図８は、図６に対応する図であり、同図では図６と異なりユーザーはリアルタイム調整として、カール矯正部２４０の調整値をそれまでの「＋０」から「＋１０」へ設定変更している。ここで、１つの紙間の時間（例えば０．２ｓｅｃ）で変更できるローラー２４２の位置変更量は調整値「＋３」相当であるとする。
【００６８】
図８において、用紙Ｓ１〜Ｓ３は図６と同様に、リアルタイム調整を受け付けた時点で既に、カール矯正部２４０を通過しており、変更前の「＋０」のカール矯正強度で処理されている。用紙Ｓ４〜Ｓ６は、リアルタイム調整の一部の設定変更が反映されたカール矯正強度で処理され、用紙Ｓ７以降は、設定変更の全部が反映されたカール矯正強度で処理される予定である。なお図６と同様に用紙Ｓ８以降は給紙トレイ１５１に収納されており、用紙搬送路には搬送される前の状態である。
【００６９】
図９Ａは、第２の実施形態に係る印刷制御を示すフローチャートであり、図６のステップＳ１１２に続いて処理される。
【００７０】
最初に、制御部１１０は未排出の先行用紙があるか否かを判断する（Ｓ２０１）。図８に示す例では、カール矯正部２４０の下流側の用紙搬送路には、未排出の先行用紙として用紙Ｓ１〜Ｓ３がある（Ｓ２０１：ＹＥＳ）、よって先行用紙数ｍ＋１枚目を調整開始紙に決定する（Ｓ２０２）。「調整開始紙」とは、設定変更の一部が最初に反映された用紙のことであり、図８に示す例では、４枚目（用紙Ｓ４）が調整開始紙である。また図８において符号「Ｔ２」の丸は、通知の対象となる調整開始紙を示す。一方で、未排出の先行用紙がなければ（Ｓ２０１：ＮＯ）、調整開始紙を１枚目に決定する（Ｓ２０３）。
【００７１】
次に、調整完了紙の判定処理を行う（Ｓ２１０）。図９Ｂは、ステップＳ２１０のサブルーチンを示す図である。
【００７２】
図９Ｂでは、最初に図３のステップＳ１０２で受け付けた調整値の変更に要する所要時間が、連続出力動作中の１つの紙間の時間に収まらず、まだ調整を反映していない残調整値があるか否かを判断する（Ｓ３０１）。具体的には、この所要時間が用紙の紙間の時間を超えているか否かを判断する（Ｓ３０１）。
【００７３】
残調整があれば（Ｓ３０１：ＹＥＳ）、残調整量から調整が完了するまでの残調整枚数ｎを算出する（Ｓ３０２）。具体的には、残調整量を調整幅で割って小数点以下を切り上げる。図８に示す例では、残調整量「７」および１つの紙間での調整幅「３」であるから、調整完了までの残調整枚数ｎは３である。
【００７４】
次に、求めた残調整枚数ｎを調整開始紙に加えることで、調整完了紙を決定する。図８に示す例では、調整開始紙は４枚目であることから、これにｎの３を加算した７枚目（用紙Ｓ７）が調整完了紙に決定する（Ｓ３０３、リターン）。図８において符号「Ｔ３」の丸は、通知の対象となる調整完了紙を示す。
【００７５】
以降は、図９Ａの処理に戻り、調整開始紙（用紙Ｓ４）および調整完了紙（用紙Ｓ７）の両方の用紙を排出部３５０に排出するタイミングをユーザーに通知する。図１０は、操作画面１６１に表示した通知例を示す図である。操作画面１６１の領域ａ３には、調整紙が排出されるタイミングとして、ユーザーがリアルタイム調整の変更指示（ボタンｂ３の押し下げ）を行ってから、その設定変更の一部が反映された調整開始紙（用紙Ｓ４）、および設定変更の全部が反映された調整完了紙（用紙Ｓ７）が排出されるまでの枚数を表示する。なお、図１０に示す例では、調整開始紙、調整完了紙の両方を示しているが、どちらか一方であってもよい。また、設定変更の一部が反映された用紙には、その反映され調整値を操作画面１６１に表示するようにしてもよい。さらに設定変更の一部が反映された用紙として、調整開始紙（用紙Ｓ４）に加えて、またはこれに代えて、調整途中の用紙（用紙Ｓ５、Ｓ６）も反映された調整値とともに通知するようにしてもよい。またこの通知は、第１の実施形態と同様に、時間の経過とともにカウントダウンする等、適宜更新するようにしてもよい。
【００７６】
このように、第２の実施形態においては、連続出力動作中に、指示受付部が後処理部の設定変更の指示を受け付け、この設定変更に要する所要時間が、連続して搬送する用紙間の時間よりも長い場合に、設定変更の一部が反映された用紙、および設定変更の全部が反映された最初の用紙を、排出部に排出するタイミングをユーザーに通知する。これにより、第１の実施形態の効果とともに、ユーザーは設定変更の一部が反映された用紙が排出されるタイミングを容易に知ることができるので、設定変更が過剰であったような場合に容易に適切な調整値まで戻すことができる。
【００７７】
（第３の実施形態に係る印刷制御）
第１、第２の実施形態では、連続動作中にユーザーによるリアルタイム調整を受け付けた場合にも、連続して搬送する用紙間の間隔を変更せずに、継続して給紙部１５０による用紙の給紙を実行していた。以下に説明する第３の実施形態においては、用紙の給紙を一旦停止させる。また第３の実施形態においてはユーザーへの通知を、操作表示部１６０等への操作画面１６１の表示による通知に代えて、またはこの表示とともに用紙間の間隔の拡大、または用紙の搬送速度の減速により行う。以下、説明する。
【００７８】
図１１は、第３の実施形態に係るリアルタイム調整用の操作画面１６１の例である。図１１に示す操作画面１６１では、ユーザーは、プルダウンボタンｂ４を操作することにより通知方法を選択することができる。入力が終わった後、ボタンｂ３（「矯正量反映」）を押すことで、「通知方法」および「調整値」を確定できる。
【００７９】
ここで、選択できる通知方法は、「通常」、「紙間拡大」、「搬送速度減速」である。「通常」は、第１、第２の実施形態で示したとおりであり、排出タイミングを操作画面１６１内に表示する（図７等参照）。以下においては先に「紙間拡大」が選択された場合の処理について説明し、その後、「搬送速度減速」について「紙間拡大」との違いについて説明する。
【００８０】
図１２は、第３の実施形態に係る印刷制御を示すフローチャートである。最初に、端末装置５０等を通じてユーザーから印刷ジョブの実行指示を受け付けることで、画像形成システム１０は、印刷ジョブに応じた連続出力動作を開始する（Ｓ４０１）。
【００８１】
次に、連続出力動作を実行中に、実行中の後処理に対するリアルタイム調整を受け付けたか否かを判断する（Ｓ４０２）。すなわちカール矯正処理に対するカール矯正強度の調整値の設定変更の指示を受け付けたか否かを判断する。第３の実施形態では、前述したようにユーザーは図１１に示す操作画面１６１を通じてカール調整値とともに通知方法を選択できる。
【００８２】
リアルタイム調整を受け付けた場合（Ｓ４０２：ＹＥＳ）、通知方法が「紙間拡大」、「搬送速度減速」のいずれかでもなく「通常」であれば前述の図３のステップＳ１１０以降の処理を行う。一方で「紙間拡大」、「搬送速度減速」のいずれかに設定されていれば（Ｓ４０３：ＹＥＳ）、現時点で用紙搬送路にある全ての用紙を排出部３５０に排出する（Ｓ４０４）。例えば図６、８に示す例では，用紙搬送路にある用紙Ｓ１〜Ｓ７を、全て設定変更前の調整値（「＋０」）のカール矯正強度で処理し、排出する。
【００８３】
次に、ステップＳ４０２で受け付けた調整値に応じて、カール矯正部２４０のカール矯正強度を変更する（Ｓ４０５）。その後、給紙部１５０により給紙を再開し（Ｓ４０６）、設定変更を反映した後処理を実行する。なおステップＳ４０４からＳ４０６の期間では、画像形成部１４０の現像装置、定着装置の動作（回転）を継続させる。
【００８４】
その後、設定変更を反映した後処理を実行する（Ｓ４０７）。具体的には、カール矯正部２４０により設定変更後のカール矯正強度（「＋３」）でカール矯正を行う。そして再開後の１枚目（例えば用紙Ｓ８）、つまり調整紙を排出して終了する（Ｓ４０８、エンド）。この調整紙は、設定変更前の用紙（例えば用紙Ｓ１〜Ｓ７）が排出されてから、少なくとも給紙トレイ１５１から排紙トレイ３５１に至る用紙搬送路の全長分の紙間を空けてから排紙トレイ３５１に排出される。このように十分な紙間を空けることで、ユーザーは再開後の１枚目の用紙が、設定変更が反映された用紙であると容易に認識ができる。
【００８５】
通知方法として「搬送速度減速」が設定されている場合にも図１２に示した制御と同様の制御を行う。ただし、設定が「搬送速度減速」の場合には、図１２のステップＳ４０４の給紙を再開する際には、搬送速度をそれまでの速度（通常速度）よりも低速に切り替えて、給紙、用紙搬送を再開する。再開後は継続してその低速の搬送速度での画像形成処理、後処理を実行し、所定期間経過した後、再び、元の搬送速度（通常速度）に復帰する。この復帰はユーザーの指示により行うようにしてもよい。例えば、図１１の操作画面１６１でユーザーにより「搬送速度減速」が選択されたリアルタイム調整の指示が行われた場合に、その操作画面１６１に「搬送速度復帰」のボタンを表示させ、このボタンの押し下げをトリガとして搬送速度の復帰を行う。
【００８６】
このようにすることで第３の実施形態においても、第１の実施形態と同様の効果を得ることができる。また、第２の実施形態においては、設定変更の一部が反映された用紙（図８の用紙Ｓ４〜Ｓ６）を出力していた。しかしながら、第３の実施形態においては、用紙搬送路の用紙を全て排出してから調整値の変更をするので、この設定変更の一部が反映された用紙の枚数を減らす、または無くすことができる。
【００８７】
（第４の実施形態に係る印刷制御）
第４の実施形態は、後処理部が特定の印刷条件に関連付けて、印刷条件毎に異なる調整値を設定可能な場合に実施する。例えばカール矯正部２４０のカール矯正強度の調整値が、印刷条件として用紙の種類毎に異なる調整値を設定する場合である。この用紙の種類の設定は、各給紙トレイと関連付けて記憶部１２０に記憶されている。例えば給紙トレイ１５１には紙種Ａ（例えば厚紙）、給紙トレイ１５２には紙種Ｂ（例えば普通紙）が収納されており、紙種Ａよりも紙種Ｂの方が、カールが生じ易いためにカール矯正強度の調整値を大きくする場合である。この調整値と印刷条件の関連付けは、前述のように図４に示したボタンｂ２により行える。例えば図４の操作画面１６１で、トレイ１（給紙トレイ１５１）に対してはカール矯正強度の調整値「＋０」を、トレイ２（給紙トレイ１５２）に対しては調整値「＋３」を設定できる。この場合、制御部１１０は、トレイ１に設定されている紙種Ａに関連付けて調整値「＋０」の設定変更を受け付けたと解釈し、これを記憶部１２０に記憶する。
【００８８】
第４の実施形態は、特定の印刷条件に対して、リアルタイム調整が行われた場合に、その特定の印刷条件で出力する用紙を、ユーザーに通知する。なお、第４の実施形態においては、１つの印刷条件に関する連続出力動作を、リアルタイム調整の前後で継続して行う場合には、第１、第２の実施形態と同様の制御となる。
【００８９】
以下においては、連続出力動作として、図１３に示すような複数の印刷条件（用紙種類）の出力を混在して行う場合について説明する。図１３は、第４の実施形態における通知対象の調整紙の排出タイミングを説明するための模式図であり、図６等に対応する図である。用紙Ｓ１から用紙Ｓ７は、印刷条件が紙種Ａで、カール矯正強度を調整値「＋０」で処理する（処理した）用紙である。既に排出部に排出済みの用紙は印刷条件が紙種Ｂで出力した用紙であり、これはカール矯正強度を変更前の調整値「＋０」で処理した用紙である。またリアルタイム調整として紙種Ｂに対してリアルタイム調整により調整値「＋３」への変更を受け付けた状態であり。
【００９０】
図１４は、第４の実施形態に係る印刷制御を示すフローチャートである。最初に、端末装置５０等を通じてユーザーから印刷ジョブの実行指示を受け付けることで、画像形成システム１０は、印刷ジョブに応じた連続出力動作を開始する（Ｓ５０１）。
【００９１】
次に、連続出力動作を実行中に、実行中の後処理に対する特定の印刷条件に関連付けたリアルタイム調整を受け付けたか否かを判断する（Ｓ５０２）。すなわち、特定の用紙種類に関連付けたカール矯正処理に対するカール矯正強度の調整値の設定変更の指示を受け付けたか否かを判断する。
【００９２】
例えば、図１３に示す例では、リアルタイム調整として紙種Ｂに対して調整値「＋３」への設定変更を受け付ける（Ｓ５０２：ＹＥＳ）。そして、その受け付けた特定の印刷条件（以下、単に「特定の印刷条件」という）の印刷ジョブを実行中か否かを判断し、「是」であれば（Ｓ５０３；ＹＥＳ）、図３のステップＳ１１０以降の処理を行う。一方で、図１３に示したように特定の印刷条件の印刷ジョブを実行中でなければ、直ぐに特定の印刷条件で出力する用紙を排出する予定があるかを判断する（Ｓ５０４）。例えば（１）特定の印刷条件で出力する用紙が、後続の印刷待ちの印刷ジョブに含まれていない場合、または（２）所定期間内（枚数または時間）よりも後に排出部に排出される場合は、この判断は「否」となる。この所定期間は、ユーザーが予め設定できるようにしてもよい。
【００９３】
図１３に示すように、特定の印刷条件で出力する用紙の排出予定がある場合（Ｓ５０４：ＹＥＳ）、制御部１１０は、特定の印刷条件で最初に出力する用紙を調整紙に決定する（Ｓ５０５）。図１３に示す場合には，用紙Ｓ８を調整紙に決定する。同図において符号「Ｔ４」の丸は、決定した調整紙を示す。
【００９４】
一方で、特定の印刷条件で出力する用紙の排出予定がない場合（Ｓ５０４：ＮＯ）、図１３の破線Ｓ５１で囲む、割り込み出力を行う。図１５は、割り込み出力を説明するための模式図である。
【００９５】
例えば、特定の印刷条件で出力する用紙を排出する予定がない場合には、特定の印刷条件で出力するサンプル用紙を割り込ませる（Ｓ５１１）。この割り込み出力は例えば、次に給紙トレイ１５１から給紙する予定の用紙Ｓ８に代えて、サンプル用紙として給紙トレイ１５２から紙種Ｂの用紙を給紙し、画像形成処理、および設定変更を反映した後処理を行う。
【００９６】
そして、この割り込み出力、つまりサンプル用紙を調整紙に決定する（Ｓ５１２）。図１５において符号「Ｔ５」の丸は、決定した調整紙を示す。
【００９７】
そして、ステップＳ５０５またはＳ５１２で決定した調整値の排出タイミングをユーザーに通知して、終了する（Ｓ５０６、エンド）。
【００９８】
（第４の実施形態の変形例）
なお、サンプル用紙の割り込みを実行するか否かの設定は、事前にユーザーが設定できるようにしてもよく、リアルタイム調整を行う際に同時に設定するようにしてもよい。また、割り込み出力としては、サンプル用紙に代えて、特定の印刷条件で出力する用紙が含まれる印刷ジョブを行うようにしてもよい。例えば、所定期間内（枚数または時間）よりも後に排出部に排出される予定の印刷待ちの印刷ジョブに、特定の印刷条件で出力する用紙が含まれている場合である。この場合、ユーザーの事前またはリアルタイム調整時の指示に応じて、特定の印刷条件で出力する用紙が含まれている印刷ジョブを、他の印刷ジョブよりも先に実行するように印刷ジョブの順序を入れ替える。このような場合も、最初に特定の印刷条件で出力する用紙を調整紙に決定し、これの排出タイミングをユーザーに通知する。
【００９９】
また、特定の印刷条件として、紙種について説明したがこれに限られない。後処理装置の調整値または画像形成装置の調整値と関連付ける特定の印刷条件としては、片面モード、両面モードの表面（第１面）、裏面（第２面）であってもよく、モノクロ、フルカラー、用紙サイズでもよい。
【０１００】
このように、第４の実施形態においては、第１、第２の実施形態の効果に加えて、特定の印刷条件で出力する用紙を直ぐに出力する予定がないような場合であっても、割り込み出力を行うことで、確実にリアルタイム調整の効果を確認できる。
【０１０１】
（変形例１）
上述の第１〜第４の実施形態の説明では、カール矯正部２４０のカール矯正処理に対してリアルタイム調整を適用した例を説明したがこれに限られない。図１６は、中折り処理における中折り位置の調整を説明するための図である。図１６に示すように、中折位置ｈ１をリアルタイム調整により調整するようにしてもよい。用紙Ｓは、真の中心ｃに対して、誤差分だけずれた折り位置ｈ１で中折りされている。この中折り位置ｈ１は、真の中心ｃを中央とする許容幅ｗの中に収まってはいるが、より品質を向上させるためリアルタイム調整により真の中心ｃに近づける方が好ましい。ユーザーは、リアルタイム調整により調整値の設定変更することで、調整値に応じて用紙スタック部３４１の上下方向の停止位置を変更し、中折り位置ｈ１を調整できる。このように、リアルタイム調整の対象として、カール矯正強度に代えて中折り位置の調整を行う。
【０１０２】
（変形例２）
さらに、リアルタイム調整を画像形成部１４０の画像形成処理に適用してもよい。例えば、受け付けたユーザーの設定変更に応じて、画像濃度や画像形成位置の調整を行う。
【０１０３】
（変形例３）
第１〜第４の実施形態においては、操作表示部１６０への表示により、ユーザーにリアルタイム調整の設定変更を反映した用紙を排出部に排出するタイミングを通知していた。これに代えて、またはこれともに音声により通知してもよい。例えば、記憶部１２０に記憶されている音声データを音声出力部３６０で再生することにより、設定変更を反映した用紙を排出部に排出するタイミングをユーザーへ通知する。
【０１０４】
（他の変形例）
また上述した本実施形態において、画像形成システム１０は、画像形成装置１００、第１、第２の後処理装置２００、３００含むものとして説明したがこれに限定されない。画像形成システム１０は、上記の装置以外の他の装置を含めてもよく、あるいは、上記の装置のうちの一部が含まれていなくてもよい。例えば、第１の後処理装置２００にカール矯正部２４０を配置した例を説明したが、画像形成装置１００の内部、例えば定着装置の下流側にカール矯正部を配置するようにしてもよい。また、その場合、画像形成システム１０は、後処理装置を含まなくてもよい。
【０１０５】
さらに、画像形成システム１０を動作させるプログラムは、ＵＳＢメモリー、フレキシブルディスク、ＣＤ−ＲＯＭ等のコンピューター読み取り可能な記録媒体によって提供されてもよいし、インターネット等のネットワークを介してオンラインで提供されてもよい。この場合、コンピューター読み取り可能な記録媒体に記録されたプログラムは、通常、メモリーやストレージ等に転送され記憶される。また、このプログラムは、例えば、単独のアプリケーションソフトとして提供されてもよいし、画像形成システム１０の一機能としてその各装置のソフトウェアに組み込んでもよい。
【符号の説明】
【０１０６】
１０  画像形成システム
１００  画像形成装置
１１０  制御部
１２０  記憶部
１３０  用紙搬送部
１３１、１３２  用紙搬送路
１４０  画像形成部（処理部）
１５０  給紙部
１５１、１５２  給紙トレイ
１６０  操作表示部
１６１  操作画面
１７０  通信部
２００  後処理装置
２１０  制御部
２２０  記憶部
２３０  用紙搬送部
２３１、２３２、２３３、２３４  用紙搬送路
２４０  カール矯正部（処理部）
２４１  搬送ベルト
２４２  ローラー
２７０  通信部
３００  後処理装置
３１０  制御部
３２０  記憶部
３３０  用紙搬送部
３３１、３３２、３３３  用紙搬送路
３４０  中折り部（処理部）
３４１  用紙スタック部
３４２  折ブレード
３４３  ステイプル部
３５０  排出部
３５１  排紙トレイ
３６０  音声出力部
３７０  通信部
Ｓ、Ｓ１〜Ｓ７  用紙
【図１】
0006705281.tif 000002
【図２】
0006705281.tif 000003
【図３】
0006705281.tif 000004
【図４】
0006705281.tif 000005
【図５】
0006705281.tif 000006
【図６】
0006705281.tif 000007
【図７】
0006705281.tif 000008
【図８】
0006705281.tif 000009
【図９Ａ】
0006705281.tif 000010
【図９Ｂ】
0006705281.tif 000011
【図１０】
0006705281.tif 000012
【図１１】
0006705281.tif 000013
【図１２】
0006705281.tif 000014
【図１３】
0006705281.tif 000015
【図１４】
0006705281.tif 000016
【図１５】
0006705281.tif 000017
【図１６】
0006705281.tif 000018